(57)【要約】【課題】信号処理の一単位であるユニット間に、隣接するユニットのトラックどうしの干渉を防止するための無信号エリアであれるガードバンドを適切に作成する。【解決手段】磁気記録メディアに記録ヘッドにより、データ検出のための信号処理の一単位である複数のトラックを記録し、磁気記録メディアの複数のトラックに跨って信号を再生することが可能な再生ヘッドにより、複数のトラックに対する信号を、複数のトラックに対して異なる位置関係で複数再生し、これら再生信号を一単位にまとめ、信号処理を行うことで、トラックごとの再生信号を生成する磁気記録再生方式において、隣接ユニット間のエリアに消去ヘッドＥ１によって消去信号を書き込むことで、ガードバンドを積極的に作成する。【選択図】  図１
2008293558.tif 000002
【特許請求の範囲】
【請求項１】
磁気記録メディアに記録ヘッドにより、データ検出のための信号処理の一単位である複数のトラックを記録する記録部と、
前記磁気記録メディアに消去ヘッドにより、前記複数のトラック間を分離するための無信号エリアをガードバンドとして作成する信号消去部と、
前記磁気記録メディアの複数の前記トラックに跨って信号を再生することが可能な再生ヘッドにより、前記複数のトラックに対する信号を、前記複数のトラックに対して異なる位置関係で複数再生し、これら再生信号を前記一単位にまとめ、信号処理を行うことで、前記トラックごとの再生信号を生成する再生部と
を具備することを特徴とする磁気記録再生装置。
【請求項２】
請求項１に記載の磁気記録再生装置であって、
前記信号消去部は、前記信号処理の一単位ごとに二つのガードバンドを作成することを特徴とする磁気記録再生装置。
【請求項３】
請求項１に記載の磁気記録再生装置であって、
前記消去ヘッドが、磁気記録用の記録ヘッドであり、
前記信号消去部は、前記消去ヘッドに消去信号を供給する消去信号発生部を有することを特徴とする磁気記録再生装置。
【請求項４】
請求項３に記載の磁気記録再生装置であって、
前記消去信号発生部は、最短記録波長以下の記録波長の繰り返し信号を前記消去信号として発生することを特徴とする磁気記録再生装置。
【請求項５】
請求項３に記載の磁気記録再生装置であって、
前記消去信号発生部は、直流信号を前記消去信号として発生することを特徴とする磁気記録再生装置。
【請求項６】
請求項１に記載の磁気記録再生装置であって、
前記消去ヘッドが、永久磁石からなることを特徴とする磁気記録再生装置。
【請求項７】
請求項１に記載の磁気記録再生装置であって、
前記再生部は、前記信号処理によって、前記複数のトラックに対する前記再生ヘッドの位置情報に相当するチャネル推定情報を求め、このチャネル推定情報と、前記複数のトラックに対して異なる位置関係で再生された信号とをもとに、前記トラックごとの再生信号を求めることを特徴とする磁気記録再生装置。
【請求項８】
請求項１に記載の磁気記録再生装置であって、
前記記録部は、前記複数のトラックに対する前記再生ヘッドの位置情報を前記再生部にて生成できるように、前記トラックごとにユニークな位置に、最小記録波長と同等あるいはそれ以上の記録波長の信号を分離パターンとして記録し、前記再生部は、前記分離パターンの再生信号をもとに、前記信号処理によって前記チャネル推定情報を求めることを特徴とする磁気記録再生装置。
【請求項９】
請求項１に記載の磁気記録再生装置であって、
前記記録部は、複数の前記記録ヘッドにより前記複数のトラックを記録し、
前記再生部は、複数の前記再生ヘッドにより、前記複数のトラックに対する複数の再生信号を生成することを特徴とする磁気記録再生装置。
【請求項１０】
請求項１に記載の磁気記録再生装置であって、
前記複数のトラックのアジマス方向が同一であることを特徴とする磁気記録再生装置。
【請求項１１】
磁気記録メディアに記録ヘッドにより、データ検出のための信号処理の一単位である複数のトラックを記録する記録部と、
前記磁気記録メディアに消去ヘッドにより、前記複数のトラック間を分離するための無信号エリアをガードバンドとして作成する信号消去部と
を具備することを特徴とする記録装置。
【請求項１２】
請求項１１に記載の記録装置であって、
前記信号消去部は、前記信号処理の一単位ごとに二つのガードバンドを作成することを特徴とする記録装置。
【請求項１３】
請求項１１に記載の記録装置であって、
前記消去ヘッドが、磁気記録用の記録ヘッドであり、
前記信号消去部は、前記消去ヘッドに消去信号を供給する消去信号発生部を有することを特徴とする記録装置。
【請求項１４】
請求項１３に記載の記録装置であって、
前記消去信号発生部は、最短記録波長以下の記録波長の繰り返し信号を前記消去信号として発生することを特徴とする記録装置。
【請求項１５】
請求項１３に記載の記録装置であって、
前記消去信号発生部は、直流信号を前記消去信号として発生することを特徴とする記録装置。
【請求項１６】
請求項１１に記載の記録装置であって、
前記消去ヘッドが、永久磁石からなることを特徴とする記録装置。
【請求項１７】
磁気記録メディアに記録ヘッドにより、データ検出のための信号処理の一単位である複数のトラックを記録する記録ステップと、
前記磁気記録メディアに消去ヘッドにより、前記複数のトラック間を分離するための無信号エリアをガードバンドとして作成する信号消去ステップと
を具備することを特徴とする記録方法。
【請求項１８】
記録ヘッドにより記録され、データ検出のための信号処理の一単位である複数のトラックと、消去ヘッドにより作成され、前記複数のトラック間を分離するための無信号エリアとを具備することを特徴とする磁気記録メディア。
【発明の詳細な説明】
【技術分野】
【０００１】
本発明は、磁気記録メディアに複数のトラックを一または複数の記録ヘッドにより記録し、その複数のトラックから一または複数の再生ヘッドにより信号を再生する磁気記録再生装置、記録装置、記録方法、磁気記録媒体に関する。
【背景技術】
【０００２】
近年、磁気ヘッドにおいては、磁気記録メディアの大容量化を図るために、更なる高密度記録が求められ、トラックのトラック幅を狭くすること（以下、「狭幅化」という。）に適した磁気ヘッドが採用されるようになってきている。一般的には、トラックの狭幅化にはトラック・サーボの精度向上が鍵となる。
【０００３】
磁気テープ記録再生装置においては、狭幅化に伴い、サーボが困難になる対策案として、所謂ノントラッキング・システムが提唱され、実用化に至っている（たとえば特許文献１−５など）。このノントラッキング方式は、ヘリカル・スキャンにてダブルアジマス記録を行ったトラックに対し、識別のために、ブロックに分けてデータを記録することによって、目的のトラックを１回のトレースで再生できなくても、データを再構成できるものである。このノントラッキング方式によって、従来のトラック・サーボで必要とされる１トラック以内のトラック制御に対して、４倍以上のマージンが許容されるようになる。
【０００４】
また、ノントラッキング技術は、ヘリカル・スキャンに留まらずリニア記録で使用されるための可能性が検討されている（たとえば特許文献６，７など）。
【０００５】
ところで、磁気記録メディアの基板に、たとえばポリエステルフィルムのような伸縮性をもった非磁性支持体を使用した場合、ダブルアジマス記録を行ったとしても、許容できる変形量はトラック・サーボを併用して、例えばトラック幅の２倍程度までであり、これ以上の変形が発生する場合は、十分なＳＮ比をもって信号を再生することができなかった。また、ダブルアジマスを持たない記録の場合では、トラックをまたがない所謂ガードバンドの幅を、トラック・サーボを併用した状態でも、エラーレート等の信頼性を劣化させないために、テープの変形量以下に押さえ込む必要があった
【０００６】
このような問題は、これまで実現されていた信号再生方式においては、少なくとも１つの再生ヘッドが同時に複数のトラックから信号を読み込むことによって信号品質が著しく劣化することに起因する。それを回避するために、ガードバンドやダブルアジマス記録を行い、また再生ヘッドからは１つのトラックからの信号のみを拾うように工夫されてきた。
しかし、さらに高トラック密度化を行う場合においては、先ずガードバンドの設置はその妨げとなる。また、再生時において隣接するトラックからの干渉を少なくすることができるダブルアジマス記録は、狭幅化した場合その効果は減少してしまう。
【０００７】
このことは、ノントラッキング方式であっても同じであり、再生ヘッドは複数のトラックに跨って信号を再生するように見えるが、時間分割した場合、再生している信号は常に１つのトラックに対してだけであり、同一時間に複数のトラックを再生するということは行っていなかった。
【０００８】
また、ノントラッキング方式で高トラック密度化に対応しようとした際に、対象トラックの隣接するトラックからの信号を拾うことによってノイズが混入するようになるため、トラックの狭幅化対応が限界になってきている。
【０００９】
磁気ヘッド装置の背景技術としてこのほか、記録密度を向上させるために、１つのブロックに複数のヘッドを配置し、同一アジマスのブロックで形成する方式として、一度に複数のデータ・フレームを記録する技術がある（たとえば特許文献８及び特許文献９など）。
【００１０】
これらの公知技術は、再生ヘッド幅をトラックの幅の半分程度にしなければならなくなるため、再生信号の出力を大きくとることができないという制約が生じ、たとえばＳＮ比の確保の点で不利であり、更なる高密度記録化には必ずしも向いていなかった。
【００１１】
ＭＩＭＯ（Multi-Input/Multi-Output）技術は、無線通信に用いられるものとして広く知られている（たとえば特許文献１０など）。
【００１２】
また、ＭＩＭＯに関する技術を磁気記録に使用する技術も知られている（たとえば非特許文献１など）。しかし、たとえば記録したトラックよりも広幅の再生ヘッドを使用する場合など、実用化に際して発生する課題が解決されていなかった。
【００１３】
本発明においては、ＭＩＭＯを使用した磁気記録方法としては前項で紹介した論文をもって実現しえなかった、磁気記録再生方法へのＭＩＭＯ技術の実用化を実現するにあたり、公知技術からは予見しえなかった技術内容を明らかにするものである。
【特許文献１】特許１８４２０５７号公報
【特許文献２】特許１８４２０５８号公報
【特許文献３】特許１８４２０５９号公報
【特許文献４】特開平０４−３７０５８０号公報
【特許文献５】特開平０５−０２０７８８号公報
【特許文献６】特開平１０−２８３６２０号公報
【特許文献７】特開２００３−１３２５０４号公報
【特許文献８】特開２００３−３３８０１２号公報
【特許文献９】特開２００４−０７１０１４号公報
【特許文献１０】特許３６６４９９３号公報
【非特許文献１】論文IEEE Trans.Mag.Vol.30.No.6 Nov.1994 5100ページ
【発明の開示】
【発明が解決しようとする課題】
【００１４】
上述したように従来の磁気記録再生方式では、記録密度を高めるに磁気記録メディアでのトラック幅を狭くする方法が採用されてきた。しかし、このまま高記録密度を追い求めてトラック幅を狭くしていくと、再生時にトラックを追いきれなくなるという問題が生じる。そこで、トラックに対する再生ヘッドの位置が多少とも外れていても、そのトラックから信号を読み取ることができるノントラッキング方式が提案されている。しかしながら、ノントラッキング方式で適切に再生信号を得るためには、再生ヘッドの設定に厳しい制約が伴う。この面からトラック幅の狭小化による高記録密度化には限界があった。
【００１５】
そこで、本発明者らは、磁気記録メディアに記録ヘッドにより、データ検出のための信号処理の一単位である複数のトラックを記録し、磁気記録メディアの複数のトラックに跨って信号を再生することが可能な再生ヘッドにより、複数のトラックに対する信号を、複数のトラックに対して異なる位置関係で複数再生し、これら再生信号を一単位にまとめ、信号処理を行うことで、トラックごとの再生信号を生成するという方式を提案した。これによると、再生ヘッドの幅を決める制約が軽減し、トラック幅の狭小化、高記録密度化が可能である。
【００１６】
ところで同方式を採用する場合における、より安定した再生信号を得るための技術的課題の一つとして、適切なガードバンドの設置がある。
【００１７】
すなわち、上記の磁気記録再生方式では、信号処理の一単位を複数トラックとして記録する。以下、この信号処理の一単位を「ユニット」と呼ぶ。図１８に示すように、複数のユニット５１（ユニット＃１−＃ｓ）にわたって記録を行う場合、隣接するユニット５１間のトラックどうしが干渉しないよう、ユニット５１間に、無信号エリアをガードバンド５２として設ける必要がある。このため、適切なガードバンド５２を安定して設けることのできる方法が求められていた。
【００１８】
本発明は、かかる事情を鑑み、信号処理の一単位を複数トラックで構成するために隣接する単位間に適切なガードバンドを安定して確保することができ、隣接単位のトラックどうしの干渉を防止して良好な記録再生を行うことのできる磁気記録再生装置、記録装置、記録方法、磁気記録メディアを提供しようとするものである。
【課題を解決するための手段】
【００１９】
上記の課題を解決するために、本発明の磁気記録再生装置は、磁気記録メディアに記録ヘッドにより、データ検出のための信号処理の一単位である複数のトラックを記録する記録部と、前記磁気記録メディアに消去ヘッドにより、前記複数のトラック間を分離するための無信号エリアをガードバンドとして作成する信号消去部と、前記磁気記録メディアの複数の前記トラックに跨って信号を再生することが可能な再生ヘッドにより、前記複数のトラックに対する信号を、前記複数のトラックに対して異なる位置関係で複数再生し、これら再生信号を前記一単位にまとめ、信号処理を行うことで、前記トラックごとの再生信号を生成する再生部とを具備する。
【００２０】
この発明によれば、磁気記録メディアに消去ヘッドにより、複数のトラック間を分離するための無信号エリアをガードバンドとして作成することによって、適切なガードバンドを作成することができ、隣接するユニット間のトラックどうしの干渉を防止して記録再生を良好に行うことが可能になる。
【００２１】
前記信号消去部は、前記信号処理の一単位ごとに二つのガードバンドを作成することとしてもよい。これにより、一つの消去ヘッドを用いる場合に比べ、ガードバンドの幅の選定の自由度が向上するとともに、幅広のガードバンドを作成できる。
【００２２】
前記消去ヘッドが、磁気記録用の記録ヘッドであり、前記信号消去部は、前記消去ヘッドに消去信号を供給する消去信号発生部を有することとしてもよい。これにより、ガードバンドを作成する信号消去部を簡単な構成で実現することができる。
【００２３】
前記消去信号発生部は、最小記録波長以下の記録波長の繰り返し信号を前記消去信号として発生するものであってよい。これにより、磁気記録メディアに無信号エリアをガードバンドとして確実に作成できる。
【００２４】
また、前記消去信号発生部は、直流信号を前記消去信号として発生することとしてもよい。これによっても、磁気記録メディアに無信号エリアをガードバンドとして確実に作成できる。
【００２５】
前記消去ヘッドには永久磁石を用いることが可能である。これにより、ガードバンドを作成する信号消去部をより一層簡単な構成で実現することができる。
【００２６】
前記再生部は、前記信号処理によって、前記複数のトラックに対する前記再生ヘッドの位置情報に相当するチャネル推定情報を求め、このチャネル推定情報と、前記複数のトラックに対して異なる位置関係で再生された信号とをもとに、前記トラックごとの再生信号を求めるものであってもよい。
【００２７】
前記記録部は、前記複数のトラックに対する前記再生ヘッドの位置情報を前記再生部にて生成できるように、前記トラックごとにユニークな位置に、最小記録波長と同等あるいはそれ以上の記録波長の信号を分離パターンとして記録し、前記再生部は、前記分離パターンの再生信号をもとに、前記信号処理によって前記チャネル推定情報を求めるものとしてもよい。
【００２８】
前記記録部は、複数の前記記録ヘッドにより前記複数のトラックを記録し、前記再生部は、複数の前記再生ヘッドにより、前記複数のトラックに対する複数の再生信号を生成するものであってもよい。
【発明の効果】
【００２９】
本発明によれば、信号処理の一単位を複数トラックで構成するために隣接する単位間に適切なガードバンドを安定して確保することができ、隣接単位のトラックどうしの干渉を防止して良好な記録再生を行うことができる。
【発明を実施するための最良の形態】
【００３０】
以下、本発明の実施形態を図面に基づき詳細に説明する。
【００３１】
（第１の実施形態）
まず、本発明の第１の実施形態を説明する。本実施形態は、記録ヘッドアレイにガードバンド作成用の消去ヘッドが設けられた磁気記録再生装置に関するものである。
【００３２】
図１は、本発明の第１の実施形態に係る磁気記録再生装置における記録部である記録装置１００の構成を示す図である。
【００３３】
同図に示すように、この記録装置１００は、マルチトラック化部１１０と、マルチトラック記録符号化部１２０と、マルチトラックプリアンブル付加部１３０と、マルチトラック記録部１４０と、記録ヘッドＷ１，Ｗ２，Ｗ３及び消去ヘッドＥ１を有する記録ヘッドアレイ１５０と、磁気記録メディア２に消去ヘッドＥ１を用いてガードバンドを作成する信号消去部１６０とを備えている。
【００３４】
マルチトラック化部１１０は、マルチトラック化のために記録データ１を記録ヘッドアレイ１５０に設けられた記録ヘッドＷ１，Ｗ２，Ｗ３の数（Ｍ＝３）のデータに振り分けるデータ分配器１１１で構成される。
【００３５】
マルチトラック記録符号化部１２０は、データ分配器１１１にて振り分けられた記録データを符号化するＭ個の記録符号化部１２１−１，１２１−２，１２１−３で構成される。
【００３６】
マルチトラックプリアンブル付加部１３０は、符号化された記録データにプリアンブルを付加するＭ個のプリアンブル付加部１３１−１，１３１−２，１３１−３で構成される。
【００３７】
マルチトラック記録部１４０は、プリアンブルが付加された記録データに所望のタイミングを与えるＭ個の出力タイミング設定部１４１−１，１４１−２，１４１−３と、記録補償処理を行うＭ個の記録補償部１４４−１，１４４−２，１４４−３と、記録補償処理後の記録データをもとに個々の記録ヘッドＷ１，Ｗ２，Ｗ３を駆動するＭ個の記録アンプ１４７−１，１４７−２，１４７−３とで構成される。
【００３８】
信号消去部１６０は、記録ヘッドアレイ１５０に設けられた消去ヘッドＥ１、消去信号発生部１７０、出力タイミング設定部１８０、及び記録アンプ１９０で構成される。
【００３９】
消去信号発生部１７０は、所定の消去信号を発生する。出力タイミング設定部１８０は、消去信号発生部１７０より発生した消去信号の出力に所定のタイミングを与えて記録アンプ１９０に出力する。記録アンプ１９０は、電圧を電流に変換して消去ヘッドＥ１へ出力して消去ヘッドＥ１を駆動する。
【００４０】
この記録装置１００では、図２に示すように、まず、入力された記録データ１がマルチトラック化部１１０にて、記録ヘッドＷ１，Ｗ２，Ｗ３の数（Ｍ＝３）のデータ（トラックごとのデータ）に分配される（ステップＳ１１）。分配された各データは、それぞれマルチトラック記録符号化部１２０の記録符号化部１２１−１，１２１−２，１２１−３にて、磁気記録メディア２の記録再生特性を考慮した符号語列に符号化される。このとき符号語列に、復調用同期パターンなどの、データ復調時に必要な情報も付加される（ステップＳ１２）。 
【００４１】
次に、生成された各符号語列の所定の位置に対して、マルチトラックプリアンブル付加部１３０のプリアンブル付加部１３１−１，１３１−２，１３１−３にてプリアンブル符号が与えられ、記録符号列が得られる（ステップＳ１３）。プリアンブル符号は、各再生ヘッドによってそれぞれ読み出された各再生信号を処理単位として所定の信号処理によってトラックごとの信号に分離するために用いられる分離パターン、自動利得調整及び／又はビット同期検出のための学習信号パターンなどで構成され、マルチトラック記録符号化部１２０の記録符号化部１２１−１，１２１−２，１２１−３で発生された符号語列の規則を考慮して、例えば、最小記録波長と同等あるいはそれ以上の記録波長の信号などによって作成されたものである。なお、分離パターンの前には、この分離パターンの位置の検出に用いられる同期信号パターンなども配置されている。
【００４２】
さらに、それぞれのトラックごとの記録符号列は、マルチトラック記録部１４０の出力タイミング設定部１４１−１，１４１−２，１４１−３にて所望のタイミングが与えられた後、記録補償部１４４−１，１４４−２，１４４−３にて、磁気記録メディア２への記録に最適化するための記録補償処理が施される。この後、トラックごとの記録符号列は、記録アンプ１４７−１，１４７−２，１４７−３において電圧から電流に変換されて記録ヘッドＷ１，Ｗ２，Ｗ３に送られ、記録ヘッドＷ１，Ｗ２，Ｗ３によって磁気記録メディア２に記録される（ステップＳ１４）。なお、記録ヘッドＷ１，Ｗ２，Ｗ３によって磁気記録メディア２に記録される複数のトラックのアジマス方向は同一である。
【００４３】
一方、消去信号発生部１７０からは消去方式に則った消去信号が出力され、その消去信号は出力タイミング設定部１８０により適切なタイミングが与えられ、記録アンプ１９０において電圧から電流に変換されて消去ヘッドＥ１に送られる。これにより記録ヘッドＷ１，Ｗ２，Ｗ３によって磁気記録メディア２に、１ユニット分の３つのトラックが記録される際に、消去ヘッドＥ１によって消去信号の書き込みが行われてガードバンドの作成が行われる。
【００４４】
図３は、上記の記録装置１００におけるガードバンドの作成方法について示した図である。
【００４５】
同図に示すように、記録ヘッドアレイ１５０には、３つの記録ヘッドＷ１，Ｗ２．Ｗ３と一つの消去ヘッドＥ１が設けられている。記録ヘッドアレイ１５０は、トラック幅方向に移動自在とされている。図３では、説明の便宜上、トラック長手方向の異なる２つの位置に記録ヘッドアレイ１５０が位置するように示してあるが、記録ヘッドアレイ１５０はトラック方向においては固定である。
【００４６】
消去ヘッドＥ１には、例えば、記録ヘッドアレイ１５０に設けられた記録ヘッドＷ１，Ｗ２．Ｗ３と同様の記録ヘッドを用いることができる。この場合、消去方式としては、磁気記録システムで使用される最小記録波長（１Ｔ）以下の記録波長の繰り返し信号を消去信号として用いた、磁化反転のあるＡＣ消去や、直流の消去信号を用いた、磁化反転のないＤＣ消去などが採用される。
【００４７】
この消去ヘッドＥ１を用いたガードバンドの作成は、例えば、次のようにして行われる。
【００４８】
記録ヘッドアレイ１５０により記録が開始される場合、まずテープ状の磁気記録メディア２が矢印１９の方向に移動する。このとき記録ヘッドアレイ１５０のヘッド幅方向における位置はＰ１である。これにより、記録ヘッドアレイ１５０の３つの記録ヘッドＷ１，Ｗ２．Ｗ３によって１ユニット分のトラック１２，１３，１４が記録されるとともに、消去ヘッドＥ１によって消去信号の記録が行われてガードバンド１１が作成される。
【００４９】
磁気記録メディア２が矢印１９の方向に移動しきったところで、記録ヘッドアレイ１５０はヘッド幅方向に一定距離移動されてＰ２の位置で停止する。この後、磁気記録メディア２は逆に矢印２０の方向へ移動する。これにより、磁気記録メディア２に次の１ユニット分のトラック１６，１７，１８が記録ヘッドアレイ１５０の３つの記録ヘッドＷ１，Ｗ２．Ｗ３によって記録されるとともに、消去ヘッドＥ１によってガードバンド１５が作成される。以上の動作がテープ幅方向に一定回数繰り返される。この結果、ガードバンド１１，１５が３トラックおきに規則正しく作成されることとなる。
【００５０】
ここで、記録ヘッドアレイ１５０のトラック幅方向の一回の移動距離を調節することによって、ガードバンド幅の調節を行うことが可能である。
【００５１】
図４は、上記の記録装置１００の変形例の構成を示す図であり、消去ヘッドＥ１として記録ベッドに代えて永久磁石１５２を用いた場合を示している。この場合、当然ながらカードバンド作成用の消去信号発生部１７０、出力タイミング設定部１８０、及び記録アンプ１９０は不要であり、記録ヘッドアレイ１５０の適切な位置に永久磁石１５２を配置しただけの構成でよい。また、永久磁石１５２を用いた場合の消去方式は、永久磁石の性質のため、トラック方向に磁化反転のないＤＣ消去となる。
【００５２】
次に、本発明の第１の実施形態に係る磁気記録再生装置における再生部である再生装置について説明する。
【００５３】
図５は、この再生装置２００の構成を示すブロック図である。
【００５４】
同図に示すように、再生装置２００は、再生ヘッドアレイ２１０、チャネル再生部２２０、信号分離処理部２３０、マルチトラック復調部２４０、復元部２６０を備える。
【００５５】
再生ヘッドアレイ２１０は、磁気記録メディア２に記録された各トラックから信号を
読み出すＮ（たとえば３）個の再生ヘッドＲ１，Ｒ２，Ｒ３を有する。
【００５６】
チャネル再生部２２０は、再生ヘッドアレイ２１０に搭載されたＮ個の再生ヘッドＲ１，Ｒ２，Ｒ３によって再生された信号を増幅するＮ個の再生アンプ２２１−１，２２１−２，２２１−３と、Ｎ個の再生アンプ２２１−１，２２１−２，２２１−３の出力の振幅レベルが所定の値になるようにゲインを制御するＡＧＣ２２４−１，２２４−２，２２４−３と、ＡＧＣ２２４−１，２２４−２，２２４−３の出力を所定のビット幅のディジタル値に量子化するＡ／Ｄコンバータ２２５−１，２２５−２，２２５−３とを備える。なお、Ａ／Ｄコンバータ２２５−１，２２５−２，２２５−３の直前には必要に応じて不要な高域成分を除去するローパス・フィルタが備えられていてもよい。さらにＡＧＣ２２４−１，２２４−２，２２４−３をＡ／Ｄコンバータ２２５−１，２２５−２，２２５−３の後段に設置して、量子化後にゲインを制御するようにしてもよい。
【００５７】
信号分離処理部２３０は、Ａ／Ｄコンバータ２２５−１，２２５−２，２２５−３の出力から前記分離パターンの開始位置を知るための同期パターンの検出を行う同期信号検出器２３１と、同期信号検出器２３１によって検出された同期パターンをもとに分離パターンの開始位置を特定して、その分離パターンを用いてチャネル推定演算および信号分離演算を行うことによって、複数の再生ヘッドＲ１，Ｒ２，Ｒ３によってそれぞれ再生された１ユニット分の再生信号からトラックごとの再生信号を分離する信号分離演算部２３６とを備える。
【００５８】
マルチトラック復調部２４０は、各トラックごとに分離された再生信号に対して等化処理を行うＭ個の等化器２４１−１，２４１−２，２４１−３と、等化器２４１−１，２４１−２，２４１−３の出力からビット同期を行うＭ個のＰＬＬ２４２−１，２４２−２，２４２−３と、ＰＬＬ２４２−１，２４２−２，２４２−３で生成されたビット同期信号を用いて各トラックごとの再生信号を二値化して符号語列を生成する、たとえばビタビ検出器などＭ個の検出器２４３−１，２４３−２，２４３−３と、検出器２４３−１，２４３−２，２４３−３の出力である２値化された再生信号から符号語列上の同期信号を検出するM個の後段の同期信号検出器２４４−１，２４４−２，２４４−３と、後段の同期信号検出器２４４−１，２４４−２，２４４−３により検出されたデータ領域の同期信号で、データの開始位置を特定して符号語列からデータ列を復号するＭ個の復号器２４５−１，２４５−２，２４５−３とを備える。
【００５９】
復元部２６０は、Ｍ個の復号器２４５−１，２４５−２，２４５−３より出力された各トラックのデータを、記録時と逆の動作により連結して再生データ３を復元するデータ結合器２６１を備える。
【００６０】
この再生装置２００では、図６に示すように、まず、Ｎ（たとえば３）個の再生ヘッドＲ１，Ｒ２，Ｒ３によって、磁気記録メディア２の各トラックから信号が再生される（ステップＳ２１）。次に、ＡＧＣ２２４−１，２２４−２，２２４−３にて、各再生アンプ２２１−１，２２１−２，２２１−３の出力の振幅レベルが調整された後、ＡＧＣ２２４−１，２２４−２，２２４−３の出力はＡ／Ｄコンバータ２２５−１，２２５−２，２２５−３にてディジタル値に変換されて同期信号検出器２３１に出力される（ステップＳ２２）。同期信号検出器２３１では、Ａ／Ｄコンバータ２２５−１，２２５−２，２２５−３の出力から分離パターンの開始位置を知るための同期パターンの検出が行われる（ステップＳ２３）。信号分離演算部２３６では、検出された同期パターンをもとに各再生信号に配置されている分離パターンの開始位置を特定し、その分離パターンを用いて所定のチャネル推定演算を行う（ステップＳ２４）。ここで、チャネル推定演算とは、複数のトラックに対する再生ヘッドの位置情報に相当するチャネル推定情報を演算する処理である。さらに、信号分離演算部２３６では、そのチャネル推定情報と１ユニット分の再生信号とからトラックごとの再生信号を生成する処理が行われる（ステップＳ２５）。
【００６１】
この後は、マルチトラック復調部２４０の各等化器２４１−１，２４１−２，２４１−３にて、各トラックごとに分離された再生信号に対して等化処理が行われ、ＰＬＬ２４２−１，２４２−２，２４２−３で生成されたビット同期信号を用いて検出器２４３−１，２４３−２，２４３−３にて各トラックごとの再生信号の二値化が行われることによって各トラックごとの符号語列が生成される。さらに、後段の同期信号検出器２４４−１，２４４−２，２４４−３にて、各トラックごとの符号語列上の同期信号を検出し復号器２４５−１，２４５−２，２４５−３での各トラックごとの符号語列からのデータ列の復号が行われる（ステップＳ２６）。そして復元部２６０にて各トラックごとのデータが連結されて再生データが得られる（ステップＳ２７）。
【００６２】
以上のように、この実施形態によれば、記録ヘッドアレイ１５０に設けられた消去ヘッドＥ１によって適切なガードバンドを作成することができ、隣接するユニット間のトラックどうしの干渉を防止して記録再生を良好に行うことが可能になる。
【００６３】
（第２の実施形態）
次に、本発明の第２の実施形態を説明する。本実施形態は、記録ヘッドアレイに２つの消去ヘッドが設けられた磁気記録再生装置に関するものである。なお、本実施形態の磁気記録再生装置における再生装置の構成は第１の実施形態の再生装置２００と同じである。
【００６４】
図７は、本発明の第２の実施形態の磁気記録再生装置における記録部である記録装置３００の構成を示す図であり、消去ヘッドに記録ヘッドを用いた場合の構成を示している。
【００６５】
同図に示すように、この記録装置３００は、マルチトラック化部１１０と、マルチトラック記録符号化部１２０と、マルチトラックプリアンブル付加部１３０と、マルチトラック記録部１４０と、記録ヘッドＷ１，Ｗ２，Ｗ３及び２つの消去ヘッドＥ１，Ｅ２を有する記録ヘッドアレイ１５０と、磁気記録メディア２に設けられた２つの消去ヘッドＥ１，Ｅ２を用いてガードバンドを作成する信号消去部１６０とを備えている。
【００６６】
マルチトラック化部１１０、マルチトラック記録符号化部１２０、マルチトラックプリアンブル付加部１３０、マルチトラック記録部１４０の構成及び動作は第１の実施形態と同じであるため、説明は省略する。
【００６７】
信号消去部１６０は、記録ヘッドアレイ１５０に設けられた２つの消去ヘッドＥ１，Ｅ２と、それぞれの消去ヘッドＥ１，Ｅ２ごとに設けられた、消去信号発生部１７０，１７１、出力タイミング設定部１８０，１８１、及び記録アンプ１９０，１９１とで構成される。
【００６８】
この記録装置３００では、２つの消去信号発生部１７０，１７１からそれぞれ所定の消去信号が出力され、それぞれの消去信号は出力タイミング設定部１８０，１８１により適切なタイミングが与えられた後、記録アンプ１９０，１９１において電圧から電流に変換されて、対応する消去ヘッドＥ１，Ｅ２に送られる。これにより記録ヘッドＷ１，Ｗ２，Ｗ３によって磁気記録メディア２に、１ユニット分の３つのトラックが記録されると同時に、２つの消去ヘッドＥ１，Ｅ２によって消去信号の書き込みが行われてガードバンドの作成が行われる。
【００６９】
図８は、上記の記録装置３００におけるガードバンドの作成方法について示した図である。
【００７０】
同図に示すように、記録ヘッドアレイ１５０には、３つの記録ヘッドＷ１，Ｗ２．Ｗ３の両側に消去ヘッドＥ１，Ｅ２が一つずつ配置されている。記録ヘッドアレイ１５０は、トラック幅方向に移動自在とされている。図８では、説明の便宜上、トラック方向の異なる２つの位置にそれぞれ記録ヘッドアレイ１５０が位置するように示してあるが、記録ヘッドアレイ１５０はトラック方向においては固定である。
【００７１】
それぞれの消去ヘッドＥ１，Ｅ２には、例えば、記録ヘッドアレイ１５０に設けられた記録ヘッドＷ１，Ｗ２．Ｗ３と同様の記録ヘッドを用いることができる。この場合、消去方式としては、磁気記録システムで使用される最小記録波長（１Ｔ）以下の記録波長の繰り返し信号を消去信号として用いた、磁化反転のあるＡＣ消去や、直流の消去信号を用いた、磁化反転のないＤＣ消去などが採用される。
【００７２】
これら２つの消去ヘッドＥ１，Ｅ２を用いたガードバンドの作成は、例えば、次のようにして行われる。
【００７３】
記録ヘッドアレイ１５０により記録が開始される場合、まずテープ状の磁気記録メディア２が矢印１９の方向に移動する。このとき記録ヘッドアレイ１５０のヘッド幅方向における位置はＰ１である。これにより、記録ヘッドアレイ１５０の３つの記録ヘッドＷ１，Ｗ２．Ｗ３によって、磁気記録メディア２に１ユニット分のトラック２２，２３，２４が記録されるとともに、ユニットのトラック幅方向の両外側に、２つの消去ヘッドＥ１，Ｅ２によって消去信号の記録が行われてガードバンド２１，２５が作成される。
【００７４】
磁気記録メディア２が矢印１９の方向に移動しきったところで、記録ヘッドアレイ１５０はヘッド幅方向に一定距離移動されてＰ２の位置で停止する。この後、磁気記録メディア２は逆に矢印２０の方向へ移動する。これにより、磁気記録メディア２に次の１ユニット分のトラック２７，２８，２９が記録ヘッドアレイ１５０の３つの記録ヘッドＷ１，Ｗ２．Ｗ３によって記録されるとともに、２つの消去ヘッドＥ１，Ｅ２によって２つのガードバンド２６，３０が作成される。以上の動作がテープ幅方向に一定回数繰り返される。この結果、ガードバンド２１，２６，３０が３トラックおきに規則正しく作成されることとなる。
【００７５】
ここで、記録ヘッドアレイ１５０のトラック幅方向の一回の移動距離を調節することによって、ガードバンド幅の調節を行うことが可能である。
【００７６】
以上のように、この実施形態によれば、２つの消去ヘッドＥ１，Ｅ２によって適切なガードバンドを設けることができ、隣接するユニット間のトラックどうしの干渉を防止して記録再生を良好に行うことが可能になる。また、２つの消去ヘッドＥ１，Ｅ２によってガードバンドを作成することで一つの消去ヘッドを用いる場合に比べ、ガードバンドの幅の選定の自由度が向上するとともに、幅広のガードバンドを作成できる。
【００７７】
図９は、上記の記録装置３００の変形例の構成を示す図であり、消去ヘッドＥ１，Ｅ２として記録ヘッドに代えて永久磁石１５２，１５３を用いた場合を示している。この場合、当然ながら図７におけるカードバンド作成用の消去信号発生部１７０，１７１、出力タイミング設定部１８０，１８１、及び記録アンプ１９０，１９１は不要であり、記録ヘッドアレイ１５０の両端の適切な位置に永久磁石１５２，１５３を配置しただけの構成でよい。また、永久磁石１５２，１５３を用いた場合の消去方式は、永久磁石の性質のため、トラック方向に磁化反転のないＤＣ消去となる。
【００７８】
なお、以上の第１の実施形態、第２の実施形態では、リニア記録方式（テープの長手方向へ記録トラックが作成される方式）の場合を示しているが、ヘリカル・スキャン方式（テープの長手方向ではなく、斜めに記録トラックが作成される方式）においても同様に実施可能である。
【００７９】
（第３の実施形態）
次に、本発明の第３の実施形態を説明する。本実施形態は、ヘリカル・スキャン記録方式で、複数の記録ヘッド及び消去ヘッドがヘッドごとに独立して設けられた磁気記録再生装置に関するものである。なお、本実施形態の磁気記録再生装置における再生装置の構成は第１の実施形態の再生装置２００と同様である。
【００８０】
図１０は、本発明の第３の実施形態の磁気記録再生装置における記録部である記録装置４００の構成を示す図であり、消去ヘッドに記録ヘッドを用いた場合の構成を示している。
【００８１】
同図に示すように、この記録装置４００は、マルチトラック化部１１０と、マルチトラック記録符号化部１２０と、マルチトラックプリアンブル付加部１３０と、マルチトラック記録部１４０と、３つの記録ヘッドＷ１，Ｗ２，Ｗ３と、消去ヘッドＥ１を用いてガードバンドを作成する信号消去部１６０とを備えている。
【００８２】
マルチトラック化部１１０、マルチトラック記録符号化部１２０、マルチトラックプリアンブル付加部１３０、マルチトラック記録部１４０の構成及び動作は第１の実施形態と同じであるため、説明は省略する。
【００８３】
信号消去部１６０は、消去ヘッドＥ１と、消去信号発生部１７０と、出力タイミング設定部１８０と、記録アンプ１９０とで構成される。
【００８４】
この記録装置４００では、消去信号発生部１７０から所定の消去方式に則った消去信号が出力され、その消去信号は出力タイミング設定部１８０によりヘリカル・スキャン記録方式において適切なタイミングが与えられた後、記録アンプ１９０において電圧から電流に変換されて、消去ヘッドＥ１に送られ、消去ヘッドＥ１によって消去信号の書き込みが行われてガードバンドの作成が行われる。
【００８５】
図１１は、上記のヘリカル・スキャン記録方式の記録装置４００における記録ヘッド及び消去ヘッドの配置を示した図である。
【００８６】
ヘリカル・スキャン記録方式では、回転する回転ドラム４０上にヘッドが搭載される。ここで、Ｗ１，Ｗ２，Ｗ３は記録ヘッド、Ｒ１，Ｒ２，Ｒ３は再生ヘッド、Ｅ１は消去ヘッドである。記録ヘッドＷ１，Ｗ２，Ｗ３及び消去ヘッドＥ１は、図中の矢印４１の方向に回転する回転ドラム４０上に、例えば、９０度間隔の回転角度位置にそれぞれ配置されている。また、磁気記録メディア２は、図中の矢印４２の方向（左から右方向）に移動される。
【００８７】
図１２は、図１１に示したヘッド配置を有するヘリカル・スキャン記録方式の記録装置４００によるガードバンドの作成方法について示した図である。
【００８８】
消去ヘッドＥ１及び記録ヘッドＷ１，Ｗ２，Ｗ３の一回目の走査によって、磁気記録メディア２にカードバンド３１とトラック３２，３３，３４が記録され、二回目の走査によって、磁気記録メディア２にカードバンド３５とトラック３６，３７，３８が記録される。
【００８９】
消去ヘッドＥ１には、例えば、記録ヘッドＷ１，Ｗ２．Ｗ３と同様の記録ヘッドを用いることができる。この場合、消去方式としては、磁気記録システムで使用される最小記録波長（１Ｔ）以下の記録波長の繰り返し信号を消去信号として用いた、磁化反転のあるＡＣ消去や、直流の消去信号を用いた、磁化反転のないＤＣ消去などが採用される。
【００９０】
この消去ヘッドＥ１を用いたガードバンドの作成は、例えば、次のようにして行われる。
【００９１】
記録が開始される場合、磁気記録メディア２は図中矢印４３の方向へ移動している。この磁気記録メディア２の移動中に、消去ヘッドＥ１、記録ヘッドＷ１、記録ヘッドＷ２、記録ヘッドＷ３の順で、図中矢印４４の方向への走査が開始されることで、磁気記録メディア２にカードバンド３１、トラック３２、トラック３３、トラック３４が記録されて行く。
【００９２】
そして、記録開始から回転ドラム４０がちょうど１回転すると、消去ヘッドＥ１が記録ヘッドＷ３の隣に位置することになって、先と同様に、消去ヘッドＥ１、記録ヘッドＷ１、記録ヘッドＷ２、記録ヘッドＷ３の順で、図中矢印４４の方向への走査が開始されることで、磁気記録メディア２にカードバンド３５、トラック３６、トラック３７、トラック３８が記録されて行く。
【００９３】
その後も同様に、回転ドラム４０がちょうど１回転するごとに、消去ヘッドＥ１によるガードバンドの作成と記録ヘッドＷ１，Ｗ２，Ｗ３によるトラックの記録が、磁気記録メディア２の長手方向の終点まで繰り返される。この結果、ガードバンド３１，３５が３トラックおきに規則正しく作成されることとなる。
【００９４】
ここで、消去ヘッドＥ１の位置に対して、回転ドラム４０の回転方向において次の記録ヘッドＷ１の位置を消去ヘッドＥ１の側に近付けたり、その他の適切な方法を用いたりすることにより、ガードバンドの幅の調節を行うことが可能である。
【００９５】
以上のように、この実施形態によれば、ヘリカル・スキャン記録方式において、消去ヘッドＥ１によって適切なガードバンドを設けることができ、隣接するユニット間のトラックどうしの干渉を防止して記録再生を良好に行うことが可能になる。
【００９６】
図１３は、上記の記録装置４００の変形例の構成を示す図であり、消去ヘッドＥ１として記録ヘッドに代えて永久磁石１５２を用いた場合の構成を示している。この場合、当然ながら消去信号発生部１７０、出力タイミング設定部１８０、及び記録アンプ１９０は不要である。
【００９７】
（第４の実施形態）
次に、本発明の第４の実施形態を説明する。本実施形態は、ヘリカル・スキャン記録方式で、３つの記録ヘッドを有する記録ヘッドアレイと一つの消去ヘッドとが、それぞれ独立して設けられた磁気記録再生装置に関するものである。なお、本実施形態の磁気記録再生装置における再生装置の構成は第１の実施形態の再生装置２００と同様である。
【００９８】
図１４は、本発明の第４の実施形態の磁気記録再生装置における記録部である記録装置５００の構成を示す図であり、消去ヘッドに記録ヘッドを用いた場合の構成を示している。
【００９９】
同図に示すように、この記録装置５００は、マルチトラック化部１１０と、マルチトラック記録符号化部１２０と、マルチトラックプリアンブル付加部１３０と、マルチトラック記録部１４０と、３つの記録ヘッドＷ１，Ｗ２，Ｗ３を有する記録ヘッドアレイ１５０と、消去ヘッドＥ１を用いてガードバンドを作成する信号消去部１６０とを備えている。
【０１００】
マルチトラック化部１１０、マルチトラック記録符号化部１２０、マルチトラックプリアンブル付加部１３０、マルチトラック記録部１４０の構成及び動作は第１の実施形態と同じであるため、説明は省略する。
【０１０１】
信号消去部１６０は、消去ヘッドＥ１と、消去信号発生部１７０と、出力タイミング設定部１８０と、記録アンプ１９０とで構成される。
【０１０２】
この記録装置５００では、消去信号発生部１７０から所定の消去方式に則った消去信号が出力され、その消去信号は出力タイミング設定部１８０によりヘリカル・スキャン記録方式において適切なタイミングが与えられた後、記録アンプ１９０において電圧から電流に変換されて、消去ヘッドＥ１に送られ、消去ヘッドＥ１によって消去信号の書き込みが行われてガードバンドの作成が行われる。
【０１０３】
図１５は、上記のヘリカル・スキャン記録方式の記録装置５００における記録ヘッド及び消去ヘッドの配置を示した図である。
【０１０４】
ヘリカル・スキャン記録方式では、回転する回転ドラム４０上にヘッドが搭載される。ここで、ＷＡ１は複数の記録ヘッドＷ１，Ｗ２，Ｗ３を有する記録ヘッドアレイ、ＲＡ１は複数の再生ヘッドを有する再生ヘッドアレイ、Ｅ１は消去ヘッドである。記録ヘッドアレイＷＡ１及び消去ヘッドＥ１は、図中の矢印４１の方向に回転する回転ドラム４０上に、例えば、１８０度間隔の回転角度位置にそれぞれ配置されている。磁気記録メディア２は、図中の矢印４２の方向（左から右方向）に移動される。
【０１０５】
図１６は、図１５に示したヘッド配置を有するヘリカル・スキャン記録方式の記録装置５００によるガードバンドの作成方法について示した図である。
【０１０６】
消去ヘッドＥ１及び記録ヘッドアレイＷＡ１に固定された記録ヘッドＷ１，Ｗ２，Ｗ３の一回目の走査によって、磁気記録メディア２にカードバンド３１とトラック３２，３３，３４が記録され、二回目の走査によって、磁気記録メディア２にカードバンド３５とトラック３６，３７，３８が記録される。
【０１０７】
消去ヘッドＥ１には、例えば、記録ヘッドアレイ１５０に設けられた記録ヘッドＷ１，Ｗ２．Ｗ３と同様の記録ヘッドを用いることができる。この場合、消去方式としては、磁気記録システムで使用される最小記録波長（１Ｔ）以下の記録波長の繰り返し信号を消去信号として用いた、磁化反転のあるＡＣ消去や、直流の消去信号を用いた、磁化反転のないＤＣ消去などが採用される。
【０１０８】
この消去ヘッドＥ１を用いたガードバンドの作成は、例えば、次のようにして行われる。
【０１０９】
記録が開始される場合、磁気記録メディア２は図中矢印４３の方向へ移動している。この磁気記録メディア２の移動中に、消去ヘッドＥ１、記録ヘッドＷ１、記録ヘッドＷ２、記録ヘッドＷ３の順で、図中矢印４４の方向への走査が開始されることで、磁気記録メディア２にカードバンド３１、トラック３２、トラック３３、トラック３４が記録されて行く。
【０１１０】
そして、記録開始から回転ドラム４０がちょうど１回転すると、消去ヘッドＥ１が記録ヘッドＷ３の隣に位置することになって、先と同様に、消去ヘッドＥ１、記録ヘッドＷ１、記録ヘッドＷ２、記録ヘッドＷ３の順で、図中矢印４４の方向への走査が開始されることで、磁気記録メディア２にカードバンド３５、トラック３６、トラック３７、トラック３８が記録されて行く。
【０１１１】
その後も同様に、回転ドラム４０がちょうど１回転するごとに、消去ヘッドＥ１によるガードバンドの作成と記録ヘッドＷ１，Ｗ２，Ｗ３によるトラックの記録が、磁気記録メディア２の長手方向の終点まで繰り返される。この結果、ガードバンド３１，３５が３トラックおきに規則正しく作成されることとなる。
【０１１２】
ここで、消去ヘッドＥ１の位置に対して、回転ドラム４０の回転方向において次の記録ヘッドＷ１の位置を消去ヘッドＥ１の側に近付けたり、その他の適切な方法を用いたりすることにより、ガードバンドの幅の調節を行うことが可能である。
【０１１３】
以上のように、この実施形態によれば、ヘリカル・スキャン記録方式において、消去ヘッドＥ１によって適切なガードバンドを設けることができ、隣接するユニット間のトラックどうしの干渉を防止して記録再生を良好に行うことが可能になる。
【０１１４】
なお、この第４の実施形態に係る記録装置５００においても、消去ヘッドＥ１として記録ヘッドに代えて永久磁石を用いてもよい。
【０１１５】
これまでの記述では、ガードバンドを消去ヘッドにて積極的に作ることを前提にしてきたが、例えば、まだ一度も使用されたことのない、何も書かれていないメディアを用いる場合は、消去ヘッドを使用しなくても、所定の間隔を空けて記録信号を記録することによってガードバンドを作成できるが、また、このような場合でも消去ヘッドを用いて積極的にガードバンドを作成してもよい。
【０１１６】
図１７は、第３の実施形態のヘリカル・スキャン記録方式の記録装置４００における記録ヘッド及び消去ヘッドの配置の変形列を示す図である。
【０１１７】
この変形例は、回転ドラム４０上に、一つの消去ヘッドと３つの記録ヘッドのセットを４組設けて、回転ドラム４０の一回転あたりに、消去トラック１本＋記録トラック３本の記録パターンが４組作成されるようにしたものである。すなわち、この方式によれば、消去ヘッドＥ１と３つの記録ヘッドＷ１，Ｗ２，Ｗ３で一つ目のユニットとガードバンドが記録され、次の消去ヘッドＥ２と次の３つの記録ヘッドＷ４，Ｗ５，Ｗ６で二つ目のユニットとガードバンドが記録され、次の消去ヘッドＥ３と次の３つの記録ヘッドＷ７，Ｗ８，Ｗ９で三つ目のユニットとガードバンドが記録され、次の消去ヘッドＥ４と次の３つの記録ヘッドＷ１０，Ｗ１１，Ｗ１２で四つ目のユニットとガードバンドが記録される。これにより、より高密記録が可能になる。
【０１１８】
以上、磁気記録再生装置を本発明に係る実施形態として説明したが、本発明は磁気記録メディアに記録ヘッドを用いて同様のマルチトラック記録を行う記録専用の記録装置に適用可能であることは言うまでもない。
【０１１９】
本発明は、上述の実施形態にのみ限定されるものではなく、本発明の要旨を逸脱しない範囲内において種々更新を加え得ることは勿論である。
【図面の簡単な説明】
【０１２０】
【図１】本発明の第１の実施形態に係る磁気記録再生装置における記録部である記録装置の構成を示す図である。
【図２】図１の記録装置による記録動作を示すフローチャートである。
【図３】図１の記録装置におけるガードバンドの作成方法を示す図である。
【図４】図１の記録装置の変形例の構成を示す図である。
【図５】本発明の第１の実施形態に係る磁気記録再生装置における再生装置の構成を示す図である。
【図６】図５の再生装置による再生動作を示すフローチャートである。
【図７】本発明の第２の実施形態の磁気記録再生装置における記録部である記録装置の構成を示す図である。
【図８】図７の記録装置におけるガードバンドの作成方法について示した図である。
【図９】図７の記録装置の変形例の構成を示す図である。
【図１０】本発明の第３の実施形態の磁気記録再生装置における記録部である記録装置の構成を示す図である。
【図１１】図１０の記録装置における記録ヘッド及び消去ヘッドの配置を示した図である。
【図１２】図１０の記録装置によるガードバンドの作成方法について示した図である。
【図１３】図１０の記録装置の変形例の構成を示す図である。
【図１４】本発明の第４の実施形態の磁気記録再生装置における記録部である記録装置の構成を示す図である。
【図１５】図１４の記録装置における記録ヘッド及び消去ヘッドの配置を示した図である。
【図１６】図１４の記録装置によるガードバンドの作成方法について示した図である。
【図１７】第３の実施形態のヘリカル・スキャン記録方式の記録装置における記録ヘッド及び消去ヘッドの配置の変形列を示す図である。
【図１８】信号処理の一単位であるユニットとこのユニット間に配置されるガードバンドを示す図である。
【符号の説明】
【０１２１】
２    磁気記録メディア
１１，１５  ガードバンド
１２，１３，１４，１６，１７，１８  トラック
１００    記録装置
１１０    マルチトラック化部
１２０    マルチトラック記録符号化部
１３０    マルチトラックプリアンブル付加部
１４０    マルチトラック記録部
１５２    永久磁石
１６０    信号消去部
１７０    消去信号発生部
１８０    出力タイミング設定部
１９０    記録アンプ
２００    再生装置
２１０    再生ヘッドアレイ
２２０    チャネル再生部
２３０    信号分離処理部
２４０    マルチトラック復調部
２６０    復元部
Ｅ１      消去ヘッド
Ｗ１，Ｗ２，Ｗ３      記録ヘッド
【図１】
2008293558.tif 000003
【図２】
2008293558.tif 000004
【図３】
2008293558.tif 000005
【図４】
2008293558.tif 000006
【図５】
2008293558.tif 000007
【図６】
2008293558.tif 000008
【図７】
2008293558.tif 000009
【図８】
2008293558.tif 000010
【図９】
2008293558.tif 000011
【図１０】
2008293558.tif 000012
【図１１】
2008293558.tif 000013
【図１２】
2008293558.tif 000014
【図１３】
2008293558.tif 000015
【図１４】
2008293558.tif 000016
【図１５】
2008293558.tif 000017
【図１６】
2008293558.tif 000018
【図１７】
2008293558.tif 000019
【図１８】
2008293558.tif 000020